(57)【特許請求の範囲】
【請求項１】
複数のユーザコードを記憶する記憶手段と、
上記ユーザコードの登録時に、入力したコードと同じユーザコードが上記記憶手段に記憶されているときは、その入力したコードが登録不可であることを報知するとともに、上記記憶されている同じユーザコードを使用不可に設定する制御手段とを備えた通信端末装置。
【請求項２】
上記記憶手段には、各ユーザコードに対応させてパスワードを記憶しており、上記制御手段は、通信開始時に、上記使用不可に設定したユーザコードと同じコードが入力されたときには、通信不可であることを報知するとともに、そのユーザコードに対応して上記記憶手段に記憶されたパスワードが入力されたときは、そのユーザコードの登録変更を可能とする、請求項１に記載の通信端末装置。
【請求項３】
コンピュータに、請求項１又は請求項２に記載の通信端末装置の機能を実現させるためのプログラムを記録した、コンピュータ読み取り可能なプログラム記録媒体。
【発明の詳細な説明】
【０００１】
【発明の属する技術分野】
本発明は、ファクシミリ装置などの通信端末装置及びコンピュータによって読み取り可能なプログラム記録媒体に関する。
【０００２】
【従来の技術】
インターネット等のコンピュータ通信網は、コンピュータなどから最寄りの契約プロバイダ（コンピュータ通信網への接続業者）までの通信費用（回線使用料及びプロバイダの費用）を負担するだけで利用できるため、海外のコンピュータとの通信も安価でできるようになっており、利用者が急増している。
【０００３】
そこで現在では、コンピュータ以外にも、通信端末装置として、コンピュータ通信網への接続を可能としたファクシミリ装置が開発されており、これによれば、読取走査した原稿画像を、ファクシミリ送信、あるいは、電子メール送信のいずれかによって、相手の通信端末装置に送信できるようになっている。
即ち、画像データの送信時に、ファクシミリ送信を選択したときは、電話網などを使用して直接、画像データを送信する。一方、電子メール送信を選択したときは、画像データを電子メール形式に変換し、このデータをネットワーク上のメールボックスに格納する。これを受信側の多くが、ダイヤルアップ接続によって、適当な時期に電話回線経由でコンピュータ通信網を接続し、電子メールが到着していれば、メールボックスから画像データを取り出している。
【０００４】
この種のファクシミリ装置は、複数の人が共同で使用する場合が多いため、利用者の各人が、この装置に対して、予めユーザコード（例えば、４桁の数字で構成される）を登録するようにしており、入力したユーザコードが、登録したユーザコードのいずれかと一致したときにのみ、予めユーザコードに対応して登録された電子メールアドレスに対するメールの送受を可能としている。これによって、この装置では、各人に対するデータの秘密を守ることができる。
【０００５】
また、ユーザコードには、コンピュータ通信網にアクセスするためのＩＤ番号やパスワードを対応させて登録しているので、利用者は、ユーザコードを入力するだけの簡単な操作で、電子メールサービスなどが利用できるようにもなっている。
【０００６】
【発明が解決しようとする課題】
ところが、上記従来の通信端末装置では、ユーザコードを登録するときに、既に同じユーザコードが登録されていれば、アラームによって報知し、登録を禁止しているので、登録済みの他人のユーザコードが分かってしまい、このユーザコードの運用が正しく行われない可能性があった。
【０００７】
本発明はこのような事情に鑑みてなされたものであり、ユーザコードの登録時に、既に登録されているコードと同じコードが入力されれば、登録を禁止するとともに、その登録済みのコードも使用不可として、そのコードの乱用を防ぐようにした通信端末装置及び、この装置の機能をコンピュータに実現させるプログラムを記憶したプログラム記録媒体を提供することを目的としている。
【０００８】
【課題を解決するための手段】
上記目的を達成するために提案される請求項１に記載の通信端末装置は、複数のユーザコードを記憶する記憶手段と、ユーザコードの登録時に、入力したコードと同じユーザコードが記憶手段に記憶されているときは、その入力したコードが登録不可であることを報知するとともに、記憶されている同じユーザコードを使用不可に設定する制御手段とを備える。
【０００９】
ここに、ユーザコードとは、複数の利用者を識別するためのものであり、登録されたユーザコード以外のコードが入力されたときには、この装置の使用を禁止する。請求項１では、ユーザコードの登録時に、既に同じコードが登録されていることが知られたときは、この登録済みのコードも使用できないようにする。
本発明に係る通信端末装置は、使用時にユーザコードの入力が必要である装置、例えば、コンピュータ通信網を接続可能としたファクシミリ装置や、データ通信機能を備えたパーソナルコンピュータ等に適用できる。
【００１０】
請求項２では、請求項１において、記憶手段には、各ユーザコードに対応させてパスワードを記憶しており、制御手段は、通信開始時に、使用不可に設定したユーザコードと同じコードが入力されたときには、通信不可であることを報知するとともに、そのユーザコードに対応して記憶手段に記憶されたパスワードが入力されたときは、そのユーザコードの登録変更を可能とする。
【００１１】
ここでは、ユーザコードに加えて、通信を行うためのパスワードを登録している。パスワードは、この装置自体の使用許可を得るためのコードであってもよいが、コンピュータ通信網に通信の許可を得るためのコード（ネットワークパスワード）にしておけば、ユーザコードを入力するだけで、自動的にこのパスワードを送出し、通信を開始することが出来る。
【００１２】
この請求項２は、元々、ユーザコードを登録していた人が操作したときの動作について提案しており、他人にユーザコードが知られてしまい、そのコードが使用不可になったときは、確認のために自己のパスワードを入力すれば、ユーザコードの変更ができるようになっている。
請求項３は、コンピュータによって読み取り可能なプログラム記録媒体を提案しており、このプログラム記録媒体には、請求項１又は請求項２に記載の通信端末装置の機能を実現させるためのプログラムを記録している。
【００１３】
すなわち、コンピュータがこのプログラム記録媒体を読み取れば、コンピュータの制御手段は、ユーザコードの登録時に、入力したコードと同じユーザコードが記憶手段に記憶されているときは、その入力したコードが登録不可であることを報知するとともに、記憶されている同じユーザコードを使用不可に設定する。
また、通信開始時に、使用不可に設定したユーザコードと同じコードが入力されたときには、通信不可であることを報知するとともに、そのユーザコードに対応して記憶手段に記憶されたパスワードが入力されたときは、そのユーザコードの登録変更を可能とする。
【００１４】
【発明の実施の形態】
以下に、図面を参照して本発明の実施の形態を説明する。
図１は、本発明の通信端末装置の内部構成の一例を示すブロック図である。
ここでは、本発明の通信端末装置の１つとして、電子メール機能付ファクシミリ装置Ｆの構成例を示す。このファクシミリ装置Ｆには、公衆回線網を介して行う従来のＧ３方式などのファクシミリ通信機能に加えて、コンピュータ通信網を介した通信機能を備えており、以下には、コンピュータ通信網の１つとして、インターネットを使用し、インターネット上で電子メール（ｅ−ｍａｉｌ）サービスを利用する場合を説明する。
【００１５】
なお、コンピュータ通信網には、インターネットの他、パソコン通信サービスであるＮＩＦＴＹ−Ｓｅｒｖｅ、ＰＣ−ＶＡＮなどを使用してもよい。また、本発明は、通信機能を備えていないコンピュータなどのデータ処理装置にも適用できるが、ユーザコードを登録し、複数の人（ユーザ）が共同で使用するものである必要がある。
【００１６】
主制御部１は、ＣＰＵ等で制御手段を構成しており、このファクシミリ装置Ｆの各部を制御するだけではなく、後述する符号化及び復号化、画像変換、バイナリ・テキスト変換、メール編集などの各処理を実行する。
ＮＣＵ２は通信回線Ｌ（アナログ回線）の閉結、開放を行う。モデム３はファクシミリ通信のために信号の変調、復調を行う。ここでは、モデム３は、電子メールを送受信するためのデータモデム機能を備えたＦＡＸモデムで構成される。なお、Ｇ４通信時は、モデム３、ＮＣＵ２を介さず、ＤＳＵ（不図示）を介して、ＩＳＤＮ回線（デジタル回線）等に接続される。
【００１７】
画像メモリ４はＤＲＡＭ等で構成されイメージデータを記憶する。ＲＡＭ５は、ＳＲＡＭ等で記憶手段を構成し、複数のユーザコードを記憶する他、処理の実行時に発生する一時的なデータや、インターネットにログインするためのユーザＩＤやパスワード、各ユーザの電子メールアドレス、相手の電子メールアドレスやファクシミリ番号等を予め登録している。フラッシュメモリ６は、このファクシミリ装置Ｆの動作に必要な装置制御プログラムを、プログラム記録媒体１２から読み取って記憶する。
【００１８】
表示部７は液晶表示装置などで構成され、このファクシミリ装置Ｆの動作状態や操作手順などを表示する。操作部８はテンキーや各種操作ボタンを備えて、このファクシミリ装置Ｆに対し各種入力設定を行う。なお、表示部７をタッチパネル方式にすれば、表示部７に操作部８の一部又は全部を一体化させることもできる。
【００１９】
読取部９は、ＣＣＤ等を利用したスキャナで原稿を読み取り、白黒２値に変換したドットイメージデータとする。記録部１０は、電子写真方式のプリンタなどで構成され、他のファクシミリ装置からファクシミリ受信したイメージデータや、インターネットを介して受信したイメージデータを、記録紙に記録（印字出力）する。
【００２０】
記録媒体読取部１１は、フロッピディスクやＣＤ−ＲＯＭなどのプログラム記録媒体１２から、このファクシミリ装置Ｆの制御プログラムを読み取る。この読み取ったプログラムは、主制御部１によって、フラッシュメモリ６に記憶され、以降、そのプログラムに従い、各部が制御される。
以上に説明したように、このファクシミリ装置Ｆは、ファクシミリ通信機能の他、主としてＴＩＦＦファイル化されたイメージデータを、電子メールとして送受信する機能を備えている。換言すれば、本来はファクシミリ通信すべき画像データを、インターネットを介して送受信することができる。
【００２１】
図２は、ファクシミリ装置Ｆ内のデータの流れを模式的に示したものである。この図中の各部は、図１には存在しないが、フラッシュメモリ６に記憶されたソフトウェアプログラムに基づいて、主制御部１によって処理されるものである。
符号化復号化部１ａは、読取部９で読み取ったドットイメージデータを、ＭＨ，ＭＲ，ＭＭＲ等の符号化方式によって符号化し、または逆に、受信した符号化データをイメージデータに復号化する。
【００２２】
画像変換部１ｂは、電子メールの送信時に、符号化データを、コンピュータで使用される一般的な画像フォーマットである、ＴＩＦＦ（Ｔａｇｇｅｄ  Ｉｍａｇｅ  Ｆｉｌｅ  ｆｏｒｍａｔ）形式に変換する一方、受信時には、ＴＩＦＦ形式から符号化データに変換する。
なお、ＴＩＦＦの仕様は、Ａｄｏｂｅ  Ｓｙｓｔｅｍｓ  社によって公開されており、白黒２値だけではなく、白黒多値、フルカラーなどの種々のデータを扱うために、各々に対応したＣｌａｓｓ  を定義している。その中の１つに、Ｇ３形式のファクシミリイメージデータを扱うＣｌａｓｓ  Ｆ  を定義しており、符号化データに対して、先頭にＣｌａｓｓ  Ｆ  のＴＩＦＦヘッダ情報の付加をする等の比較的容易な処理を施すことによってＴＩＦＦ形式に変換することを可能にしている。
【００２３】
バイナリ・テキスト変換部１ｃは、電子メールの送信時は、ＴＩＦＦ形式のイメージデータを、バイナリデータからテキストデータに変換し、受信時には、テキストデータをバイナリデータに変換する。これは、インターネットには、バイナリデータの電子メールを扱うことが出来ないコンピュータを接続している場合があるからであり、従って、相手先に対し確実に電子メールが届くようにするには、ＴＩＦＦデータなどのバイナリデータは、送信時にテキストデータに変換する必要がある。
【００２４】
なお、インターネットで扱うテキストデータは、ＩＥＴＦ（Ｉｎｔｅｒｎｅｔ  Ｅｎｇｉｎｅｅｒｉｎｇ  Ｔａｓｋ  Ｆｏｒｅ）が発行するドキュメントであるＲＦＣ（Ｒｅｑｕｅｓｔ  Ｆｏｒ  Ｃｏｍｍｅｎｔｓ）８２２において、７ビットのコードとして規定されている。例えば、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ  ）のエンコーディングタイプの１つであるｂａｓｅ６４などを利用すれば、バイナリデータをテキストデータに変換できる。ここに、ｂａｓｅ６４とは、８ビット×３バイトのバイナリデータを６ビット×４バイトと見なし、各々のバイトに対し、６４種類のキャラクタコードを割り当てることにより、バイナリデータをテキストデータに変換する符号化方式である。なお、ＲＦＣには、ＭＩＭＥのエンコーディングタイプとして、ｂａｓｅ６４の他に、７ｂｉｔ、８ｂｉｔ、ｂｉｎａｒｙ等が規定されている。
【００２５】
メール編集部１ｄは、電子メールの送信時は、テキストデータに変換されたＭＩＭＥヘッダ付きのＴＩＦＦデータにメールヘッダ情報を付加して電子メール形式に編集する一方、受信時には、電子メール形式のデータからメールヘッダ情報を取り除き、テキストデータのＴＩＦＦデータとする。
ここに、メールヘッダ情報とは、インターネットの電子メールの所定のヘッダ情報のことであり、具体的には、送信するＴＩＦＦデータの先頭に、”Ｄａｔｅ：”  （発信日）、”Ｆｒｏｍ：”  （発信元）、”Ｔｏ：”  （宛先）、”Ｓｕｂｊｅｃｔ：”（題名）、”ｃｃ：”  （副宛先）などの各項目が付加される。
【００２６】
このような構成によって、ファクシミリ装置Ｆは、電子メールを送受信することができるが、ここでは、１台のファクシミリ装置Ｆを複数の人が使用できるように各人のユーザコードを登録するようになっており、使用時にはユーザコードを入力して、この入力したコードが登録済みであれば、電子メールサービスが利用できるようにしている。
【００２７】
本発明は、ＲＡＭ５へのユーザコードの登録時の動作に特徴があり、主制御部１は、登録するために入力したコードと同じユーザコードが、既にＲＡＭ５に登録されているときは、その入力したコードが登録不可であることを報知するとともに、記憶されている同じユーザコードを使用不可に設定する。
したがって、ユーザコードの登録時に、登録不可であることが報知されることによって、既に同じコードが登録されていることが知られたときでも、この登録済みのコードを使用できないようにするため、以降、このコードが乱用されることがない。
【００２８】
ここに、登録不可であることを報知する手段としては、表示部７においてＬＥＤ表示（点灯、点滅）や液晶画面表示を行ったり、記録部１０によってその旨を記録紙に印字出力したり、アラーム音を出力するといったものがある。
また、ファクシミリ装置Ｆでは、ＲＡＭ５に各ユーザコードに対応させてパスワードを登録すれば、ユーザコードを入力するだけで、自動的にパスワードを送出して、インターネットを接続することが可能になる。
【００２９】
この場合、主制御部１は、通信開始時に、他人が登録しようとして使用不可に設定したユーザコードと同じコードが入力されたときには、通信不可であることを報知する。これは、上述したように、他人にユーザコードが知られてしまったからであり、本来、そのユーザコードを使用していた人は、そのユーザコードを使用することはできなくなるが、そのコードに対応して記憶されていたパスワードを入力すれば、そのユーザコードの登録変更ができる。
【００３０】
図３は、ＲＡＭ５に記憶されたユーザテーブルＴの構成を模式的に示している。ここでは、複数のユーザコードｔ１の各々に対応して、重複フラグｔ２と、ネットワークＩＤｔ３と、ネットワークパスワードｔ４と、メールアドレスｔ５とが登録できるようになっている。
重複フラグｔ２は、ユーザコードｔ１の登録時に同じコードが入力されたときに、そのことを識別するために設定されるものであり、この設定がされていると、通信開始時に、対応するユーザコードｔ１が入力されても、通信を禁止する。
【００３１】
ネットワークＩＤｔ３は、プロバイダから各ユーザに対して交付されるものであり、ユーザコードｔ１が入力されたときには、ネットワークパスワードｔ４とともにプロバイダに送出され、これによってインターネットと接続される。
ネットワークパスワードｔ４は、本発明では、ユーザコードｔ１を登録変更するときに、その対象を特定し確認するためにも使用される。すなわち、重複フラグｔ２が設定されている場合、元々ユーザコードｔ１を使用していた人は、ネットワークパスワードｔ４を入力すれば、ユーザコードｔ１の変更ができる。このとき、他の項目であるネットワークＩＤｔ３やメールアドレスｔ５は、変更する必要がないので、登録操作が簡単に済む。
【００３２】
メールアドレスｔ５は、各ユーザが、インターネットのアクセス後、電子メールを送受信するときに使用する自己のアドレスである。したがって、電子メールの受信時には、このアドレスｔ５に宛てて送信されたメールのみを受信する一方、電子メールの送信時には、このアドレスｔ５をヘッダに付加したメールを、指定した宛先アドレスに対して送信する。
【００３３】
次に、図４〜図６のフローチャートを用いて、ファクシミリ装置Ｆの動作について説明する。
図４は、ユーザコードｔ１を登録するときの動作を示している（１００〜１０８）。操作部８の登録ボタンを操作すると、登録モードになるので、操作部８によって、ネットワークＩＤｔ３、ネットワークパスワードｔ４、メールアドレスｔ５、これらに対応するユーザコードｔ１を入力する（１００〜１０２）。
【００３４】
すると、主制御部１は、既に同じユーザコードｔ１がユーザテーブルＴに登録されているかをチェックし（１０３）、登録されていなければ、入力されたデータｔ１，ｔ３〜ｔ５をユーザテーブルＴに新規登録する（１０８）。
ところが、既に同じユーザコードｔ１がユーザテーブルＴに登録されていれば、その既に登録されているユーザコードｔ１に対応する重複フラグｔ２を設定して（１０４）、そのユーザコードｔ１を使用不可とするとともに、アラーム音を出力し（１０５）、別のコードを入力する旨のメッセージを表示部７に表示する（１０６）。操作者は、この表示を見て、別のユーザコードｔ１を入力し直す。
【００３５】
ここでは、ユーザコードｔ１が重複したときに、更に、そのユーザコードｔ１の所有者に宛てて、ユーザコードｔ１を変更する旨のメッセージを、記録部１０によって記録紙に印字出力している（１０７）。これによって、通信開始時になって初めて、自己のユーザコードｔ１が使用不可であることが分かるといった事態を防ぐことができ、通信前に、前もってユーザコードｔ１の変更登録をしておくことができる。
【００３６】
図５は、ユーザコードｔ１を登録変更するときの動作を示している（２００〜２１４）。操作部８の登録変更ボタンを操作すると、登録変更モードになるので、操作部８によって、旧いユーザコード（ユーザテーブルＴに登録されている変更前のユーザコードｔ１）を入力する（２００，２０１）。
このとき、そのユーザコードｔ１に対して、重複フラグｔ２が設定されていなければ（２０２のＮ）、新しいユーザコードｔ１を入力すると（２０７）、図４の１０３〜１０８と同じように、新しいユーザコードｔ１の登録処理を行う（２０８〜２１４）。
【００３７】
すなわち、既に同じユーザコードｔ１がユーザテーブルＴに登録されているかをチェックし（２０８）、登録されていなければ、ユーザテーブルＴを、旧いユーザコードｔ１から新しいユーザコードｔ１に書換え登録する（２１３）。このとき、重複フラグｔ２は設定を解除する。一方、既に同じユーザコードｔ１がユーザテーブルＴに登録されていれば、重複フラグｔ２を設定して（２０９）、そのユーザコードｔ１を使用不可とするとともに、アラーム音を出力し（２１０）、別のコードを入力する旨のメッセージを表示部７に表示する（２１１）。また、そのユーザコードｔ１の所有者に宛てて、ユーザコードｔ１を変更する旨のメッセージを、記録部１０によって記録紙に印字出力する（２１２）。
【００３８】
また、旧いユーザコードｔ１を入力したときに（２０１）、そのコードに対して、重複フラグｔ２が設定されていれば（２０２のＹ）、ネットワークパスワードｔ４の入力を促すメッセージを表示部７に表示する（２０３）。これに対して、そのユーザコードｔ１に対応して登録されているパスワードｔ４と同じパスワードが入力されれば、上記した新しいユーザコードｔ１の登録処理（２０７〜２１４）を行う。ところが、パスワードｔ４が一致しなければ、その旨のメッセージを表示部７に表示して（２０６）、パスワードｔ４の再入力を促す。
【００３９】
図６は、通信開始時の動作を示している（３００〜３１１）。操作部８の通信開始ボタンを操作すると（３００）、通信モードになるので、操作部８によって、ユーザコードｔ１を入力したときに（３０１）、ユーザテーブルＴにそのユーザコードｔ１があり、それに対して重複フラグｔ２が設定されていなければ、通信処理に移行する（３０２〜３０９）。
【００４０】
通信処理は、まず、プロバイダに対して発呼し（３０３）、ユーザコードｔ１に対応して登録されたネットワークＩＤｔ３、ネットワークパスワードｔ４を送出する（３０４）。そして、読取部９に原稿がセットされていれば、宛先アドレスを指定して原稿画像を電子メールとして送信する一方（３０５〜３０７）、原稿がセットされていなければ、メール受信を行い、受信した画像を記録部１０から印字出力する（３０５，３０８，３０９）。
【００４１】
ところが、入力したユーザコードｔ１に対して重複フラグｔ２が設定されていれば、通信不可として、アラーム音を出力する（３１０）とともに、ユーザコードｔ１の登録変更を促すメッセージを表示部８に表示する（３１１）。
これを見た操作者は、図５を用いて説明したユーザコードｔ１の登録変更処理を行えばよい。このとき、登録変更を促すメッセージの表示（３１１）に続けて、ネットワークパスワードｔ４の入力処理（図５の２０３以降）を行うようにしてもよい。更に、アラーム音を出力（３１０）した後、ネットワークパスワードの入力を促すメッセージを表示部８に表示して、ユーザコードｔ１に対応して登録されたパスワードと一致すれば、通信処理（３０３以降）に移行するようにしてもよい。
【００４２】
次に、上記ファクシミリ装置Ｆの機能を果たすコンピュータについて説明する。図７は、電子メール通信機能を備えたコンピュータＰＣの内部構成の一例を示すブロック図である。
主制御部５１は、ＣＰＵ等で制御手段を構成しており、このコンピュータＰＣの各部を制御するだけではなく、上記ファクシミリ装置Ｆと同様に、符号化及び復号化、画像変換、バイナリ・テキスト変換、メール編集などの各処理を実行する（図２参照）。
【００４３】
モデム５２は、通信回線Ｌを接続し、電子メールを送受信するために信号の変調、復調を行い、また、ファクシミリ通信も可能とする。メモリ５３はＳＲＡＭ等で記憶手段を構成し、ユーザテーブルＴ（図３参照）などを記憶する。ハードディスク５４は、このコンピュータＰＣの動作に必要な装置制御プログラムなどを、プログラム記録媒体５９から読み取って記憶する。
【００４４】
表示部５５はＣＲＴなどで構成される。キーボード５６は操作手段を構成しているが、この操作手段は、マウス等のポインティングデバイスなどであってもよい。プリンタ５７は、電子メールのデータや、ファクシミリ受信したイメージデータ、このコンピュータＰＣで作成したデータ等を印字出力する。
記録媒体読取部５８は、フロッピディスクやＣＤ−ＲＯＭなどのプログラム記録媒体５９からプログラムデータを読み取る。主制御部５１は、読み取ったプログラムをハードディスク５４に格納し、以降、このプログラムの命令に従って、コンピュータＰＣの動作を制御する。
【００４５】
本発明では、プログラム記録媒体５９には、以上に説明したファクシミリ装置Ｆの機能を実現させるプログラムを記録しているので、主制御部５１は、このプログラム記録媒体５９を記録媒体読取部５８によって読み取れば、ユーザコードｔ１の登録時に、入力したコードと同じユーザコードｔ１がメモリ５３内のユーザテーブルＴに記憶されているときは、その入力したコードが登録不可であることを報知するとともに、記憶されている同じユーザコードｔ１を使用不可に設定する（図４参照）。
【００４６】
また、通信開始時に、使用不可に設定したユーザコードｔ１と同じコードが入力されたときには、通信不可であることを報知するとともに、そのユーザコードｔ１に対応してユーザテーブルＴに記憶されたパスワードｔ４が入力されたときは、そのユーザコードｔ１の登録変更を可能とする（図５，６参照）。
このように、コンピュータＰＣは、プログラム記録媒体５９からプログラムを読み取るだけの簡単な処理で、ユーザコードｔ１の不正使用を防止する機能を備えることが出来る。
【００４７】
【発明の効果】
以上の説明からも理解できるように、本発明の請求項１に記載の通信端末装置によれば、ユーザコードの登録時に、入力したコードと同じユーザコードが既に登録されているときは、その登録されているユーザコードを使用不可にするので、このような状況で、その登録済みのコードが、ユーザコードを登録しようとした他人に知られても、以降、乱用されることがない。
【００４８】
請求項２では、通信開始時に、使用不可に設定したユーザコードと同じコードが入力されたときには、そのユーザコードに対応して登録されたパスワードが入力されれば、そのユーザコードの登録変更を可能にする。したがって、ユーザコードが他人に知られたおそれがあるので、そのコードの登録を新しいユーザコードに変更するときに、パスワードを入力するだけの簡単な操作で済む。
【００４９】
請求項３では、プログラム記録媒体に、コンピュータへのユーザコードの登録時に、入力したコードと同じユーザコードが既に登録されているときは、その登録が不可であることを報知するとともに、登録されている同じユーザコードを使用不可にするプログラム、又は、更に通信開始時に、使用不可に設定したユーザコードと同じコードが入力されたときは、通信不可であることを報知するとともに、そのユーザコードに対応して登録されたパスワードが入力されたときは、そのユーザコードの登録変更を可能とするプログラムを記録しているので、このプログラム記録媒体をコンピュータに読み取らせるだけで、ユーザコードの不正使用防止機能、ユーザコードが他人に知られたおそれがあるときの簡易かつ確実なユーザコードの登録変更機能を備えることが出来る。
【図面の簡単な説明】
【図１】本発明に係る通信端末装置の内部構成の一例を示したブロック図である。
【図２】図１の通信端末装置内のデータの流れを示した模式図である。
【図３】ユーザテーブルの構成の一例を示す模式図である。
【図４】図１の通信端末装置の基本動作の一例を示すフローチャートである（ユーザコードの登録時）。
【図５】図１の通信端末装置の基本動作の一例を示すフローチャートである（ユーザコードの登録変更時）。
【図６】図１の通信端末装置の基本動作の一例を示すフローチャートである（通信開始時）。
【図７】コンピュータの内部構成の一例を示したブロック図である。
【符号の説明】
Ｆ・・・電子メール機能付ファクシミリ装置
１・・・主制御部
５・・・ＲＡＭ
６・・・フラッシュメモリ
７・・・表示部
１１・・・記録媒体読取部
１２・・・プログラム記録媒体
Ｔ・・・ユーザテーブル
ｔ１・・・ユーザコード
ｔ２・・・重複フラグ
ｔ４・・・ネットワークパスワード
ＰＣ・・・電子メール通信機能を備えたコンピュータ
５１・・・主制御部
５３・・・メモリ
５４・・・ハードディスク
５５・・・表示部
５８・・・記録媒体読取部
５９・・・プログラム記録媒体
【図１】
0003622046.tif 000002
【図２】
0003622046.tif 000003
【図３】
0003622046.tif 000004
【図４】
0003622046.tif 000005
【図５】
0003622046.tif 000006
【図６】
0003622046.tif 000007
【図７】
0003622046.tif 000008